(57)【特許請求の範囲】
【請求項１】
室外機と室内機が接続されて構成される空気調和機の制御装置であって、商用電源に接続される室外電源部と、室内機と通信を行う室外通信部を前記室外機に配置し、前記室外電源部から第１の室内外接続電線と第２の室内外接続電線とで接続される室内電源部と、室外機と通信を行う室内通信部と、室内機の制御を行う室内制御部を前記室内機に配置し、前記室外通信部と前記室内通信部とを前記第２の室内外接続電線と第３の室内外接続電線とで接続し、前記商用電源からの電力供給を遮断する電源切替装置を前記第２の室内外接続電線に配置し、運転停止時の予め設定された時間毎に前記電源切替装置をオン・オフ制御し、前記電源切替装置のオン状態では前記室内電源部が充電され、前記電源切替装置のオフ状態では前記室内制御部に前記室内電源部に充電された電力が供給されるものであって、前記電源切替装置がオフ状態のときに、前記室内機が運転指示を受信したときは、次に前記電源切替装置がオン状態となるまで、前記運転指示を前記室内制御部に記憶させておくことを特徴とする空気調和機の制御装置。
【請求項２】
室外機と室内機が接続されて構成される空気調和機の制御装置であって、商用電源に接続される室外電源部と、室内機と通信を行う室外通信部を前記室外機に配置し、前記室外電源部から第１の室内外接続電線と第２の室内外接続電線とで接続される室内電源部と、室外機と通信を行う室内通信部と、室内機の制御を行う室内制御部を前記室内機に配置し、前記室外通信部と前記室内通信部とを前記第２の室内外接続電線と第３の室内外接続電線とで接続し、前記商用電源からの電力供給を遮断する電源切替装置を前記第２の室内外接続電線に配置し、運転停止時の予め設定された時間毎に前記電源切替装置をオン・オフ制御し、前記電源切替装置のオン状態では前記室内電源部が充電され、前記電源切替装置のオフ状態では前記室内制御部に前記室内電源部に充電された電力が供給されるものであって、前記電源切替装置がオフ状態のときに、前記室内機が運転指示を受信したときは、次に前記電源切替装置がオン状態となったときに通信するために、前記運転指示を前記室内制御部に記憶させておくことを特徴とする空気調和機の制御装置。
【発明の詳細な説明】
【技術分野】
【０００１】
本発明は、運転停止時に消費される電力を低減する技術に関連する。
【背景技術】
【０００２】
図９は、従来の空気調和機の制御装置の概略図である。図９に示すように、一般的な空気調和機は、室外に配置される室外機５０１と、室内に配置される室内機５０２とで構成され、それぞれが冷媒配管と室内外接続線５０９で接続されている（例えば、特許文献１参照）。
【０００３】
そして、室外機５０１には、マイコンおよびその周辺回路で構成された制御部５０４、室外機５０１へ電力を供給する電源部５１１、室内機５０２との通信を行う通信部５０５を有しており、電源部５１１には外部の商用交流電源５０３が接続されている。
【０００４】
また、室内機５０２には、マイコンおよびその周辺回路で構成された制御部５０８、室内機５０２へ電力を供給する電源部５０７、室外機５０１との通信を行う通信部５０６を有しており、電源部５０７は室外機５０１の電源部５１１と室内外接続線５０９で接続されて電源が供給されている。
【０００５】
そして、リモコン５１０からの運転開始および停止指示に応じて、室内機５０２の制御部５０８が受信し、室外機５０１の制御部５０４へ指示が伝達される。
【先行技術文献】
【特許文献】
【０００６】
【特許文献１】特開平６−１４７６１６号公報
【発明の概要】
【発明が解決しようとする課題】
【０００７】
しかしながら、前記従来の構成では商用交流電源５０３から室外機５０１へ供給されるが、運転開始などの指示をリモコン５１０から受信する必要があるため、室内機５０２の運転停止中であっても、制御部５０８や通信部５０６が動作する電力を供給する必要があり、待機電力の消費量が多くなるという課題を有していた。
【０００８】
本発明は、前記従来の課題を解決するもので、運転停止時に消費される電力の低減を行うことができる空気調和機の制御装置を提供することを目的とする。
【課題を解決するための手段】
【０００９】
前記従来の課題を解決するために本発明は、室外機と室内機が接続されて構成される空気調和機の制御装置であって、商用電源に接続される室外電源部と、室内機と通信を行う室外通信部を室外機に配置し、室外電源部から第１の室内外接続電線と第２の室内外接続電線とで接続される室内電源部と、室外機と通信を行う室内通信部と、室内機の制御を行う室内制御部を室内機に配置し、室外通信部と室内通信部とを第２の室内外接続電線と第３の室内外接続電線とで接続し、商用電源からの電力供給を遮断する電源切替装置を第２の室内外接続電線に配置し、運転停止時の予め設定された時間毎に電源切替装置をオン・オフ制御し、電源切替装置のオン状態では室内電源部が充電され、電源切替装置のオフ状態では室内制御部に室内電源部に充電された電力が供給されるものであって、電源切替装置がオフ状態のときに、室内機が運転指示を受信したときは、次に電源切替装置がオン状
態となるまで、運転指示を室内制御部に記憶させておくことにより、運転停止時における消費電力を削減することができる。
【００１０】
また、前記従来の課題を解決するために本発明は、室外機と室内機が接続されて構成される空気調和機の制御装置であって、商用電源に接続される室外電源部と、室内機と通信を行う室外通信部を室外機に配置し、室外電源部から第１の室内外接続電線と第２の室内外接続電線とで接続される室内電源部と、室外機と通信を行う室内通信部と、室内機の制御を行う室内制御部を室内機に配置し、室外通信部と室内通信部とを第２の室内外接続電線と第３の室内外接続電線とで接続し、商用電源からの電力供給を遮断する電源切替装置を第２の室内外接続電線に配置し、運転停止時の予め設定された時間毎に電源切替装置をオン・オフ制御し、電源切替装置のオン状態では室内電源部が充電され、電源切替装置のオフ状態では室内制御部に室内電源部に充電された電力が供給されるものであって、電源切替装置がオフ状態のときに、室内機が運転指示を受信したときは、次に電源切替装置がオン状態となったときに通信するために、運転指示を室内制御部に記憶させておくことにより、運転停止時における消費電力を削減することができる。
【発明の効果】
【００１１】
本発明は、運転停止時に消費される電力の低減を行うことができる空気調和機の制御装置を提供することができる。
【図面の簡単な説明】
【００１２】
【図１】本発明の実施の形態１における空気調和機の制御装置の構成図
【図２】同実施の形態１における空気調和機の制御装置のタイミングチャート
【図３】本発明の実施の形態２における空気調和機の制御装置の構成図
【図４】同実施の形態２における空気調和機の制御装置のタイミングチャート
【図５】本発明の実施の形態３における空気調和機の制御装置の構成図
【図６】同実施の形態３における空気調和機の制御装置のタイミングチャート
【図７】本発明の実施の形態４における空気調和機の制御装置の構成図
【図８】同実施の形態４における空気調和機の制御装置のタイミングチャート
【図９】従来の空気調和機の制御装置の構成図
【発明を実施するための形態】
【００１３】
第１の発明の空気調和機の制御装置は、室外機と室内機が接続されて構成される空気調和機の制御装置であって、商用電源に接続される室外電源部と、室内機と通信を行う室外通信部を室外機に配置し、室外電源部から第１の室内外接続電線と第２の室内外接続電線とで接続される室内電源部と、室外機と通信を行う室内通信部と、室内機の制御を行う室内制御部を室内機に配置し、室外通信部と室内通信部とを第２の室内外接続電線と第３の室内外接続電線とで接続し、商用電源からの電力供給を遮断する電源切替装置を第２の室内外接続電線に配置し、運転停止時の予め設定された時間毎に電源切替装置をオン・オフ制御し、電源切替装置のオン状態では室内電源部が充電され、電源切替装置のオフ状態では室内制御部に室内電源部に充電された電力が供給されるものであって、電源切替装置がオフ状態のときに、室内機が運転指示を受信したときは、次に電源切替装置がオン状態となるまで、運転指示を室内制御部に記憶させておくことにより、運転停止時における消費電力を削減することができる。
【００１４】
第２の発明の空気調和機の制御装置は、室外機と室内機が接続されて構成される空気調和機の制御装置であって、商用電源に接続される室外電源部と、室内機と通信を行う室外通信部を室外機に配置し、室外電源部から第１の室内外接続電線と第２の室内外接続電線とで接続される室内電源部と、室外機と通信を行う室内通信部と、室内機の制御を行う室内制御部を室内機に配置し、室外通信部と室内通信部とを第２の室内外接続電線と第３の
室内外接続電線とで接続し、商用電源からの電力供給を遮断する電源切替装置を第２の室内外接続電線に配置し、運転停止時の予め設定された時間毎に電源切替装置をオン・オフ制御し、電源切替装置のオン状態では室内電源部が充電され、電源切替装置のオフ状態では室内制御部に室内電源部に充電された電力が供給されるものであって、電源切替装置がオフ状態のときに、室内機が運転指示を受信したときは、次に電源切替装置がオン状態となったときに通信するために、運転指示を室内制御部に記憶させておくことにより、運転停止時における消費電力を削減することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の制御装置の構成図である。本実施の形態における空気調和機は、室外に配置される室外機と室内に配置される室内機とで構成されており、室外機には室外機の制御装置１が配置され、室内機には室内機の制御装置６が配置されている。よって、本発明における空気調和機の制御装置は、室外機の制御装置１と室内機の制御装置６で構成される。
【００１７】
次に、室外機の制御装置１の構成について説明する。室外機の制御装置１には、商用電源５に接続される室外電源部３を備えている。さらに室外機の制御を行うマイクロコンピュータ２１およびその周辺回路で構成される室外制御部２と、室内機との通信を行う室外通信部４を有している。
【００１８】
一方、室内機の制御装置６には、室外電源部３から電源が供給される室内電源部８と、室内機の制御を行うマイクロコンピュータ１８およびその周辺回路で構成される室内制御部９と、室外機との通信を行う室内通信部７を有している。
【００１９】
また、室内電源部８は、トランス１５と、電解コンデンサ１６、定電圧電源１７、ダイオードブリッジ１９を有し、室内通信部７は、通信カプラ２０を有している。
【００２０】
そして、室外電源部３と室内電源部８とは第１の室内外接続電線１１と、第２の室内外接続電線１２とで接続されており、室外通信部４と室内通信部７とは第２の室内外接続電線１２と、第３の室内外接続電線１３とで接続されている。
【００２１】
以上のように構成された空気調和機の制御装置において、本発明では、第１の室内外接続電線１１に、電源切替装置１４を配置しており、電源切替装置１４をオン・オフ制御することによって、商用電源５から室外電源部３への電力供給の開始・停止を行う。すなわち、電源切替装置１４をオン制御することによって室外電源部３への電力供給の開始を行い、電源切替装置１４をオフ制御することによって室外電源部３への電力供給の停止を行う。
【００２２】
以下、本発明の空気調和機の制御装置の動作について説明する。
【００２３】
まず、商用電源５に接続された室外電源部３から、第１の室内外接続電線１１と第２の室内外接続電線１２を通して室内電源部８へ電力の供給を行う。室内電源部８では、ダイオードブリッジ１９とトランス１５にて交流電力を直流電力に変換しＮＲ電力を出力する。
【００２４】
ＮＲ電力は定電圧電源１７に入力され、マイクロコンピュータ１８や通信カプラ２０の動作用の５Ｖ電力が出力される。そして出力された５Ｖ電力でマイクロコンピュータ１８
や通信カプラ２０の動作が可能となる。
【００２５】
また、室外通信部４は、第２の室内外接続電線１２および第３の室内外接続電線１３で室内通信部７と接続されており、運転情報などのデータのやり取りを行う。
【００２６】
次に、空気調和機の運転停止時における電源切替装置１４の動作について説明する。図２は、運転停止時における各構成要素のタイミングチャートを示す図である。
【００２７】
まず、運転停止時は室外機に配置されている室外制御部２により電源切替装置１４をオン・オフ制御を行う。
【００２８】
そして、運転停止してから直ぐに電源切替装置１４をオンにすることで、電解コンデンサ１６に充電され、充電された電荷の分だけＮＲ電力を出力し、定電圧電源１７によって５Ｖ電力が出力される。
【００２９】
そして、予め設定した充電時間だけ電源切替装置１４をオンにすることで、電解コンデンサ１６に充電が完了し、電源切替装置１４をオンにしてから予め設定した充電時間が経過後は、電源切替装置１４をオフにする。
【００３０】
ところが、ＮＲ電力は室内制御部９や室内通信部７への電力供給に伴い、徐々に減少する。そこで、本発明では、電解コンデンサ１６に充電が完了してから、定電圧電源１７の動作に必要なＮＲ電力の規定値（本発明では、５Ｖとして説明するがこれに限定されるものではない）を下回るまでの時間を予め計算しておき、その予め計算しておいた時間が経過するたびに、電源切替装置１４をオン制御する。
【００３１】
このように構成することによって、常時、室内通信部７および室内制御部９が運転可能となるため、消費電力を抑えつつも、リモコン１０からの運転指示に反応することができる。
【００３２】
（実施の形態２）
図３は、本発明の実施の形態２における空気調和機の制御装置の構成図、図４は、実施の形態２における空気調和機の運転停止時の各構成要素のタイミングチャートである。なお、実施の形態１と同じ構成部品に関しては、実施の形態１と同じ符号を付して、その説明を省略する。
【００３３】
実施の形態１と異なるところは、電源切替装置１４を第２の内外接続電線１２に配置している点である。
【００３４】
まず、空気調和機の運転停止時は、実施の形態１と同様に、電解コンデンサ１６に充電された電荷の分だけＮＲ電力を出力し、定電圧電源１７により５Ｖの電力が出力される。このとき、室内制御部９においてはリモコン１０からの運転開始などの信号を受信した場合は、室内制御部９にあるマイクロコンピュータ１８で信号情報を一時的に記憶させておく。
【００３５】
実施の形態２においては、電源切替装置１４を情報のやり取りを行う第２の室内外接続電線１２に配置しているので、電源切替装置１４がオフ制御されている間は、室内外で通信を行えない状態である。
【００３６】
よって、次の電源切替装置１４がオン制御されるタイミングで、室外機と室内機とで通信を行う必要があるため、マイクロコンピュータ１８に一時的に記憶させる必要がある。
【００３７】
以上のように、本発明は、消費電力を抑えつつも、運転停止時であってもリモコンからの要求を受け付けることができる空気調和機の制御装置を提供することができる。
【００３８】
（実施の形態３）
図５は、本発明の実施の形態３における空気調和機の制御装置の構成図、図６は、実施の形態３における空気調和機の運転停止時の各構成要素のタイミングチャートである。なお、実施の形態１と同じ構成部品に関しては、実施の形態１と同じ符号を付して、その説明を省略する。
【００３９】
実施の形態１と異なるところは、電源切替装置１４を室内の制御装置６に設け、室内制御部９で電源切替装置１４を制御している点である。
【００４０】
このように構成しても、消費電力を抑えつつも、運転停止時であってもリモコンからの要求を受け付けることができる空気調和機の制御装置を提供することができる。
【００４１】
（実施の形態４）
図７は、本発明の実施の形態４における空気調和機の制御装置の構成図、図８は、実施の形態４における空気調和機の運転停止時の各構成要素のタイミングチャートである。なお、実施の形態１と同じ構成部品に関しては、実施の形態１と同じ符号を付して、その説明を省略する。
【００４２】
実施の形態２と異なるところは、電源切替装置１４を室内の制御装置６に設け、室内制御部９で電源切替装置１４を制御している点である。
【００４３】
このように構成しても、消費電力を抑えつつも、運転停止時であってもリモコンからの要求を受け付けることができる空気調和機の制御装置を提供することができる。
【産業上の利用可能性】
【００４４】
以上のように、本発明にかかる空気調和機は、室外機より電源を供給するタイプの空気調和機において運転停止時の待機電力を低減する効果があるため、空気調和機以外にもエコ給湯機器など運転停止時にリモコンからの信号受信を待機している制御装置に適用できる。
【符号の説明】
【００４５】
１  制御装置
２  室外制御部
３  室外電源部
４  室外通信部
５  商用電源
６  制御装置
７  室内通信部
８  室内電源部
９  室内制御部
１０  リモコン
【図１】
0005828129.tif 000002
【図２】
0005828129.tif 000003
【図３】
0005828129.tif 000004
【図４】
0005828129.tif 000005
【図５】
0005828129.tif 000006
【図６】
0005828129.tif 000007
【図７】
0005828129.tif 000008
【図８】
0005828129.tif 000009
【図９】
0005828129.tif 000010